(57)【特許請求の範囲】
【請求項１】
スピーカを有さない電子楽器本体の使用状態において前記電子楽器本体に正面を対向させて使用される電子楽器用椅子であって、
略直方体状の筐体と、
前記筐体内に設けられ前記電子楽器本体から演奏情報を受信する演奏情報受信手段と、
前記演奏情報に基づいてステレオの楽音信号を生成する楽音信号生成手段と、
前記筐体の左右両側面から、前記筐体の各々左および右方向に向かって前記楽音信号の高音域の成分を放音する一対のツイータと、
前記筐体の正面、底面、または背面の何れかから前記楽音信号の低音域の成分を放音する少なくとも一のウーハと
を有することを特徴とする電子楽器用椅子。
【請求項２】
前記筐体の左右両側面は、放音孔が穿孔された板状部材によって構成され、
前記一対のツイータは、前記各放音孔の内側に設けられている
ことを特徴とする請求項１記載の電子楽器用椅子。
【請求項３】
前記筐体の正面および背面は、各々の下部の中央部を切り欠いて成る切欠部を形成した正面板および背面板によって構成され、
前記切欠部よりも上方に設けられ、前記ウーハの放音面を下方に向かって露出させる底板をさらに有することを特徴とする請求項２記載の電子楽器用椅子。
【発明の詳細な説明】
【技術分野】
【０００１】
本発明は、電子鍵盤楽器に用いて好適な電子楽器用椅子に関する。
【背景技術】
【０００２】
電子ピアノ等の電子鍵盤楽器においては、楽音信号を放音するスピーカは、通常は鍵盤の左右両脇に配置される。また、特許文献１においては、電子鍵盤楽器用の椅子の中にウーハを装着し、低音による振動が演奏者に伝わるようにしたものが開示されている。
【０００３】
【特許文献１】実開昭６２−１２５２９５号公報
【発明の開示】
【発明が解決しようとする課題】
【０００４】
ところで、電子ピアノ等の電子楽器は、インテリアとしてのデザイン性も重視されるようになっている。例えば、電子楽器本体にはリビングルームに置いても全く違和感の無いテーブル状の筐体を用い、電子楽器の上面からスピーカを排除できれば望ましい。しかし、このような筐体を用いる場合には、スピーカの装着場所が問題になる。単にスピーカを目立たない場所に配置することのみを考慮するならば、例えば電子楽器の背面や下面に装着することも考えられるが、電子楽器がステレオの楽音を放音する場合には、左右の分離度が悪くなるという問題が生じる。
この発明は上述した事情に鑑みてなされたものであり、スピーカを目立たない場所に配置しつつ、良好な状態で楽音を放音することができる電子楽器用椅子を提供することを第１の目的としている。さらに、電子楽器本体のデザインの自由度を高める電子楽器用椅子を提供することを第２の目的としている。
【課題を解決するための手段】
【０００５】
上記課題を解決するため本発明にあっては、下記構成を具備することを特徴とする。なお、括弧内は例示である。
請求項１記載の電子楽器用椅子にあっては、スピーカを有さない電子楽器本体（１００）の使用状態において前記電子楽器本体（１００）に正面を対向させて使用される電子楽器用椅子であって、略直方体状の筐体と、前記筐体内に設けられ前記電子楽器本体（１００）から演奏情報を受信する演奏情報受信手段（２０２）と、前記演奏情報に基づいてステレオの楽音信号を生成する楽音信号生成手段（２０８）と、前記筐体の左右両側面から、前記筐体の各々左および右方向に向かって前記楽音信号の高音域の成分を放音する一対のツイータ（２６０Ｌ，２６０Ｒ）と、前記筐体の正面、底面、または背面の何れかから前記楽音信号の低音域の成分を放音する少なくとも一のウーハ（２７４）とを有することを特徴とする。
さらに、請求項２記載の構成にあっては、請求項１記載の電子楽器用椅子において、前記筐体の左右両側面は、放音孔（２５６ａ，２５８ａ）が穿孔された板状部材によって構成され、前記一対のツイータ（２６０Ｌ，２６０Ｒ）は、前記各放音孔（２５６ａ，２５８ａ）の内側に設けられていることを特徴とする。
さらに、請求項３記載の構成にあっては、請求項２記載の電子楽器用椅子において、前記筐体の正面および背面は、各々の下部の中央部を切り欠いて成る切欠部（２５２ａ，２５０ｃ）を形成した正面板（２５２）および背面板（２５０ｂ）によって構成され、前記切欠部（２５２ａ，２５０ｃ）よりも上方に設けられ、前記ウーハ（２７４）の放音面を下方に向かって露出させる底板（２７０）をさらに有することを特徴とする。
【発明の効果】
【０００６】
このように、本発明によれば、一対のツイータは電子楽器用椅子の左右両側面から楽音信号の高音域の成分を放音するから、ツイータ（スピーカ）を目立たない場所に配置しつつ、ステレオの楽音信号に対して高い分離度を確保することができる。さらに、電子楽器本体にはスピーカを装着することが不要になるため、きわめて薄い筐体を電子楽器本体に用いる等、電子楽器本体のデザインの自由度を高めることができる。
【発明を実施するための最良の形態】
【０００７】
1．実施例の構成
次に、本発明の一実施例の電子鍵盤楽器の構成を図１を参照し説明する。本実施例の電子鍵盤楽器は、鍵盤等を有する本体部１００と、音源等を有する音源部２００とから構成されている。本体部１００の内部において１０２は鍵盤等の操作子であり、その操作状態は検出回路１０４によって検出される。１１４はＣＰＵであり、ＲＯＭ１１０に記憶されたプログラムに従って、バス１０８を介して本体部１００内の他の構成要素を制御する。１１２はＲＡＭであり、ＣＰＵ１１４のワークメモリとして使用される。１０６は無線通信インタフェースであり、ＣＰＵ１１４の制御の下、ＭＩＤＩ信号等を無線送信する。
【０００８】
次に、音源部２００の内部において２０２は無線通信インタフェースであり、本体部１００内の無線通信インタフェース１０６からＭＩＤＩ信号を受信する。２０８は音源回路であり、受信したＭＩＤＩ信号に基づいて楽音信号を合成する。合成された楽音信号はサウンドシステム２１０を介して発音される。なお、サウンドシステム２１０は、スピーカシステム（左右のツイータおよび一のウーハ）と、これらを駆動する「３」チャンネルのアンプとから構成されている。２１６はＣＰＵであり、ＲＯＭ２１２に記憶されたプログラムに従って、バス２１８を介して音源部２００内の他の構成要素を制御する。２１４はＲＡＭであり、ＣＰＵ２１６のワークメモリとして使用される。
【０００９】
次に、図２を参照し、電子鍵盤楽器の全体の外観構成について説明する。図において１２０は本体部１００の筐体であり、略長方形の板の左端を略Ｌ字状に湾曲させて成るものである。１２２は操作子１０２の一部を成す鍵盤であり、筐体１２０の前方部分に配置されている。１２４は支持脚であり、筐体１２０の右端部から下方に向かって突出し、筐体１２０を支持する。この本体部１００の高さはほぼ「６０ｃｍ」程度である。また、音源部２００は、ほぼ「３０ｃｍ」程度の高さの直方体状に形成されている。
【００１０】
ここで、音源部２００の詳細構成を図３(a)〜(c)を参照し説明する。これらの図において２５０は上面・背面板であり、略長方形の板を略Ｌ字状に湾曲することにより、音源部２００の上面を覆う上面部２５０ａと、音源部２００の背面を覆う背面部２５０ｂとを形成する。背面部２５０ｂの底部は略円弧状に切り欠かれ、切欠部２５０ｃが形成されている。２５２は正面板であり、音源部２００の正面を覆う略長方形状の板部材によって形成されている。正面板２５２の底部は略台形状に切り欠かれ、切欠部２５２ａが形成されている。また、正面板２５２の上部においては、ボリュームノブ２５４と、ヘッドホンジャック２５５が取り付けられている。２５６は左側面板、２５８は右側面板であり、それぞれ音源部２００の左右の側面を覆う略長方形状の板部材によって形成されている。側面板２５６，２５８の上部の内面には、左右のツイータ２６０Ｌ，２６０Ｒが、各放音面を外側に向けるように取り付けられており、側面板２５６，２５８において該放音面に対向する箇所は略長方形状に切り欠かれ、放音孔２５６ａ，２５８ａが形成されている。
【００１１】
音源部２００の内部において２７０は底板であり、音源部２００の底面を覆う略長方形状の板部材によって形成されている。底板２７０は、正面板２５２および上面・背面板２５０の各切欠部２５２ａ，２５０ｃよりも上方に配置され、正面板２５２、上面・背面板２５０および側面板２５６，２５８に固定されている。底板２７０の上面にはウーハボックス２７２が固定されている。ウーハボックス２７２は略直方体の箱状に形成され、その下面からはウーハ２７４の放音面が露出している。また、ウーハ２７４の左右には、ウーハボックス２７２の内部に向かって突出する円筒状の一対のバスレフ穴２７６，２７６が形成されている。
【００１２】
底板２７０においては、ウーハボックス２７２が取り付けられる箇所において、該ウーハボックス２７２の底面よりもやや小径の長方形状の貫通孔２７０ａが形成されており、これによってウーハ２７４の放音面およびバスレフ穴２７６，２７６は貫通孔２７０ａを介して露出している。さらに、底板２７０においては、該貫通孔２７０ａよりも後方に、ヘッドホンジャック２７８および電源用プラグ２８０が装着されている。また、ウーハボックス２７２の上面には、無線通信インタフェース２０２、ＣＰＵ２１６等を収容した直方体状のボックス２９０が固定されており、ウーハボックス２７２の背面には、電源回路およびアンプを搭載した基板２９２が固定されている。
【００１３】
2．実施例の動作
上記構成において、ユーザが本体部１００の鍵盤１２２中の鍵を操作すると、この操作状態に応じたＭＩＤＩ信号が無線通信インタフェース１０６，２０２を介して伝送され、ＣＰＵ２１６を介して音源回路２０８に供給される。音源回路２０８においては、ＭＩＤＩ信号に基づいて左右のステレオの楽音信号が生成される。これら楽音信号のうち高音域の成分は各々対応するアンプのチャンネルを介してツイータ２６０Ｌ，２６０Ｒから放音される。一方、これら楽音信号のうち低音域の成分は混合され、アンプの低音域用のチャンネルを介してウーハ２７４から放音される。ツイータ２６０Ｌ，２６０Ｒから放音された楽音は、放音孔２５６ａ，２５８ａを介して筐体の各々左および右方向に向かって放音されるから、高音域については左右方向に対して高い分離度を有している。また、ウーハ２７４から放音された楽音は、切欠部２５２ａ，２５０ｃを介して音源部２００の前後方向から放音され、演奏者の耳に到達することになる。但し、ヘッドホンジャック２５５，２７８のうち何れかにヘッドホンプラグが挿入されると、「２」チャンネルのステレオの楽音信号が該ヘッドホンジャック２５５，２７８を介して出力され、ツイータ２６０Ｌ，２６０Ｒおよびウーハ２７４からは楽音は放音されない。
【００１４】
3．変形例
本発明は上述した実施例に限定されるものではなく、例えば以下のように種々の変形が可能である。
(1)上記実施例においては、音源部２００の底板２７０から放音面が露出するようにウーハボックス２７２が取り付けられたが、正面板２５２または上面・背面板２５０の背面部２５０ｂから露出するようにウーハボックス２７２を取り付けてもよい。
【図面の簡単な説明】
【００１５】
【図１】本発明の一実施例の電子鍵盤楽器のブロック図である。
【図２】一実施例の電子鍵盤楽器の全体の斜視図である。
【図３】音源部２００の三面図である。
【符号の説明】
【００１６】
電子鍵盤楽器
１００：本体部、１０２：操作子、１０４：検出回路、１０６，２０２：無線通信インタフェース、１０８，２１８：バス、１１０，２１２：ＲＯＭ、１１２，２１４：ＲＡＭ、１１４，２１６：ＣＰＵ、１２０：筐体、１２２：鍵盤、１２４：支持脚、２００：音源部、２０８：音源回路（楽音信号生成手段）、２１０：サウンドシステム、２５０：上面・背面板、２５０ａ：上面部、２５０ｂ：背面部、２５２：正面板、２５２ａ，２５０ｃ：切欠部、２５４：ボリュームノブ、２５６：左側面板、２５６ａ，２５８ａ：放音孔、２５８：右側面板、２６０Ｌ，２６０Ｒ：ツイータ、２７０：底板、２７０ａ：貫通孔、２７２：ウーハボックス、２７４：ウーハ、２８０：電源用プラグ、２９０：ボックス、２９２：基板、２５５，２７８：ヘッドホンジャック、２５６，２５８：側面板、２７６，２７６：バスレフ穴。
【図１】
0004524655.tif 000002
【図２】
0004524655.tif 000003
【図３】
0004524655.tif 000004